(57)【要約】【課題】簡単な作業でアバットメントと義歯台との嵌着連設作業や離脱作業が行えるデンタルインプラント構造及びかかる構造の構築方法並びに一旦構築したインプラント構造を補修のために分解するためのデンタルインプラント構造の分解方法を提供する。【解決手段】本発明の人体インプラント構造は、骨体に埋設し、その上部に支持基台を載置固定するための支持アンカーと、支持アンカーの上部に載置固定し、欠損パーツを装着可能に構成した支持基台と支持基台に装着した欠損パーツとよりなり、しかも、支持アンカーと支持基台とは、互いに密着したテーパー嵌合構造を介して着脱自在に嵌着可能に構成すると共に、支持基台に穿設した縦方向の雌ネジ孔と支持アンカーの上面に穿設した縦孔との境に支持アンカー上面からなる段部を形成したことを特徴とする。【選択図】図１
2011072773.tif 000002
【特許請求の範囲】
【請求項１】
骨体に埋設し、その上部に支持基台を載置固定するための支持アンカーと、支持アンカーの上部に載置固定し、欠損パーツを装着可能に構成した支持基台と支持基台に装着した欠損パーツとよりなり、
しかも、支持アンカーと支持基台とは、互いに密着したテーパー嵌合構造を介して着脱自在に嵌着可能に構成すると共に、支持基台に穿設した縦方向の雌ネジ孔と支持アンカーの上面に穿設した縦孔との境に支持アンカー上面からなる段部を形成した
ことを特徴とする人体イプラント構造。
【請求項２】
骨体としては、顎骨であり、
支持アンカーとしては、上部にアバットメントを載置固定するためのフィクスチャーと、フィクスチャーの上部に載置固定し、その上部に欠損パーツとしての義歯を載置固定すべく構成したアバットメントとの組合せであり、
支持基台としては、義歯台であり、
欠損パーツとしては、義歯であり、
人体インプラント構造としてはデンタルインプラント構造であり、
しかも、アバットメントと義歯台とは互いに密着したテーパー嵌合構造を介して着脱自在に嵌着すべく構成すると共に、義歯台に穿設した縦方向の雌ネジ孔とアバットメントに穿設した縦方向の雄ネジ貫通孔との境にアバットメント上面からなる段部を形成した
ことを特徴とする請求項１に記載の人体インプラント構造。
【請求項３】
顎骨に埋設したフィクスチャーと、上部に義歯を載置固定すべく構成したアバットメントとは、上半部が支持台に貫通した雄ネジ貫通孔と合致した形状の雄ネジ棒を介して一体に連設したことを特徴とする請求項２に記載の人体インプラント構造。
【請求項４】
アバットメントに貫通した雄ネジ貫通孔は上方に行くに従って拡開状に形成したことを特徴とする請求項３に記載の人体インプラント構造。
【請求項５】
i）上部にアバットメントを載置固定するためのフィクスチャーを顎骨に埋設するフィクスチャー設置工程と、
ii）上部に義歯を載置固定すべく構成したアバットメントをフィクスチャーの上部に載置した後に、アバットメントとフィクスチャーとのそれぞれに相対して穿設した雌ネジ孔及び雄ネジ貫通孔に雄ネジ棒を挿入し別途用意した雄ネジ締込み具により雄ネジ棒をフィクスチャーの雌ネジ孔に螺着してアバットメントをフィクスチャーに連設固定するアバットメント連設工程と、
iii）アバットメントの上部に義歯台をテーパー嵌合構造を介して着脱自在に載置し、別途用意した義歯台締込み用ネジ具を雌ネジ孔に螺入しネジ具先端が下方の雄ネジ棒上端面に当接しながら螺進することによりアバットメントの周面に義歯台の嵌合孔を密着嵌合させる義歯台嵌着工程と、
iv）義歯台を含む歯並び部分を型取りするために型取り樹脂を義歯台を含む歯並び部分に被覆する型取り被覆工程と、
v）型取り樹脂の上方から別途用意した離反用雄ネジ具を義歯台の雌ネジ孔始端から螺入して先端面をアバットメントの段部に圧接させながら圧接反力を利用してアバットメントと義歯台とを離反させ、口腔内にアバットメントを残留した状態とする義歯台離反工程と、
vi）アバットメントから離反した義歯台を保有する型取り樹脂を口腔内から取り出して反転し、型取り樹脂の表面に開口した義歯台のテーパー状の嵌合孔にテーパー嵌合構造を介して先端部が嵌合孔と相対する形状を有するダミーの仮止めアンカーを嵌合するアンカー仮止め工程と、
vii）義歯台のテーパー状の嵌合孔にテーパー嵌合構造を介してダミーの仮止めアンカーを嵌合立設した状態で仮止めアンカーを埋設するように型取り樹脂の表面凹部に石膏などの型取り材を流入する型取り材流入工程と、
viii）型取り材の硬化後に、義歯台を型取り樹脂内に残留したまま型取り樹脂の表面凹部から仮止めアンカーと共に硬化した型取り材を抜去することにより、石膏などの型取り材による口腔内の歯並び模型を完成する模型作製工程と、
ix）歯並び模型のインプラント対応箇所に露出した仮止めアンカーのテーパー状の頭部に別途用意した義歯台をテーパー嵌合構造を介して嵌合載置するアンカーへの義歯台嵌着工程と、
x）周辺の歯並び模型と調整しながら義歯台に義歯を冠歯する冠歯工程と、
xi）別途用意した離反用雄ネジ具を義歯台の雌ネジ孔始端から螺入して先端面を仮止めアンカーの上端面に圧接させながら圧接反力を利用して仮止めアンカーから義歯台を離反させ取り出す義歯台取り出し工程と、
xii）取り出した義歯台を患者の口腔内に設置しているアバットメントにテーパー嵌合構造を介して嵌着し、次いで、別途用意した義歯台締込み用ネジ具を雌ネジ孔に螺入しネジ具先端が下方の雄ネジ棒上端面に当接しながら螺進することによりアバットメントの周面に義歯台の嵌合孔を密着嵌合する最終義歯台嵌着工程と、
xiii）義歯台の中央に穿設した雌ネジ孔を閉塞するようにした雌ネジ孔閉塞工程と、
よりなる請求項２に記載の人体インプラント構造を基にした人体インプラント構築方法。
【請求項６】
義歯台に縦方向に穿設した雌ねじ孔に螺入した上部雄ネジを雌ネジ孔の上端開口部から螺退して抜去し、その後、上部雄ネジを抜去した雌ネジ孔に別途用意した雄ネジからなる離反用雄ネジ具を螺入し、離反用雄ネジ具の下端面を雌ネジ孔の最下端に位置する段部に当接させた後に更に螺進させることにより義歯台のアバットメントに対する反力を利用して、義歯台をアバットメントから離反させて取り外すことが出来るようにしたことを特徴とする請求項３又は請求項４に記載の人体インプラント構造を基にしたその分解方法。
【請求項７】
フィクスチャーとアバットメントとは、一体構造としたことを特徴とする請求項２から４の何れか１項に記載の人体インプラント構造
【請求項８】
フィクスチャーとアバットメントとは、一体構造としたことを特徴とする請求項５に記載の人体インプラント構築方法
【請求項９】
フィクスチャーとアバットメントとは、一体構造としたことを特徴とする請求項６に記載の人体インプラント構造を基にしたその分解方法。
【請求項１０】
義歯台には、欠損パーツとしての義歯を装着するのではなく、歯科矯正用に使用するワイヤーを係止するための係合部を設けることを特徴とする請求項２から４の何れか１項に記載の人体インプラント構造。
【請求項１１】
欠損パーツとしては、義眼、義耳、義鼻のうちの何れか一つであることを特徴とする請求項１に記載の人体インプラント構造。
【発明の詳細な説明】
【技術分野】
【０００１】
この発明は、デンタルインプラントなどの人体インプラント構造及びかかる構造の構築方法並びに一旦構築したインプラント構造を補修及び点検のために分解するための人体インプラント構造の分解方法に関する。
【背景技術】
【０００２】
事故および疾病などで人体の一部を欠損した場合には、その欠損部分を欠損パーツ、例えば義歯や義眼や義耳などで補完する技術がある。
その場合、欠損パーツを人体に取付けるためには、その近傍にある骨体に支持アンカーをインプラントし、支持アンカーに欠損パーツを取付けるための支持基台を取付け、その支持基台に欠損パーツを装着する方法が採用される。
これらの具体的な欠損パーツとして義歯のデンタルインプラント構造を例にとって説明する。
すなわち、従来、単一の歯自体を失っている場合のデンタルインプラント構造は顎骨にフィクスチャーと称される人工歯根を埋設して骨の治癒とともに一体化するようにし、この人工歯根に義歯を支持するためのアバットメントと称される支持台を歯肉内に立設し、この支持台上に義歯を冠設した歯冠を接着剤やネジなどで載置固定した構造とし、上記した順序でデンタルインプラント構造が構築されている。例えば、特許文献１には、フィクスチャーとしてのデンタルインプラントにアバットメントをネジ止めするインプラント構造が開示されている。
【０００３】
上記特許文献をはじめとするデンタルインプラント構造の具体的な構成を、図５６及び図５７に示す。図５６に示すものは、歯冠を支持台に接着剤で固定するデンタルインプラント構造１０１であり、顎骨Ｂに埋設したフィクスチャー１０２に歯肉Ａ内に立設したアバットメント１０３をネジによりネジ止めし、このアバットメント１０３に鋳造した歯冠１０４をセメント等の接着剤１０５で接着する構造である。他方、図５７に示すものは、歯冠を支持台にネジで固定するデンタルインプラント構造１１１であり、顎骨Ｂに埋設したフィクスチャー１１２に歯肉Ａ内に立設したアバットメント１１３をネジ止めし、このアバットメント１１３に鋳造した歯冠１１４をネジ止めする構造としている。すなわち、上記いずれのインプラント構造の場合も、フィクスチャーとアバットメントとはネジ止めするものであり、歯冠については、アバットメントの外観形状に合わせて鋳造して形成し、これを接着剤やネジなどを用いて載置固定するものである。
【０００４】
更には、複数の義歯間に架橋して作成する架橋義歯の場合は、架橋される複数の義歯のための支持台を金属などでそれぞれが平行性を保持するように機械で削合して作成し、その上部に歯科用セメントやネジを介して架橋義歯としての歯冠を被せる構造としている。
【先行技術文献】
【特許文献】
【０００５】
【特許文献１】特開平７−２７５２６６号公報
【発明の概要】
【発明が解決しようとする課題】
【０００６】
しかし、かかる従来のデンタルインプラント構造は、上述したように、アバットメントと称される支持台上に義歯を冠設した歯冠をセメントなどの接着材やネジで載置固定した構造であった。
【０００７】
セメント等の接着剤で接合したデンタルインプラント構造の補修の場合は、歯冠が支持台に一旦固定されると取り外しが困難であり、歯冠を支持台たるアバットメントごとに破壊して取り外し補修しなければならなかった。すなわち、長年の使用による耐久期間の経過或いは突発的事象などにより、補修したり、点検したりする必要が生起した場合、歯冠や支持台や歯根などの構成部材を個別に取り外して補修したり点検したりすることが出来にくく、構成部材を破壊して全部或いは一部を除去し新たに作り直す必要があった。かかる作業は、患者への身体的負荷が増加し、また補修の時間やコスト上も不利であった。また、唾液によるセメントや鋳造物の金属の溶出が生起する場合があり、健康被害の原因にもなっていた。
【０００８】
一方、ネジで接合したデンタルインプラント構造の補修の場合は、不測のネジの緩みが生起したり、複雑な精密技工作業が必要になり、鋳造物の金属の溶出による健康被害の原因も解決できなかった。
更には、いずれの補修形態であっても歯冠の装着時の浮き上がり現象が起こり、浮き上がり部が不衛生になるなどの問題があった。さらにまた、ネジによる維持力の不足から生じる義歯台の離脱や支持台を固定するネジの破折などもありうるという欠点もあった。
以上のデンタルインプラント構造の説明は、義歯ではない義眼や義耳などの欠損パーツの装着技術においても該当することであった。
【課題を解決するための手段】
【０００９】
この発明は、骨体に埋設し、その上部に支持基台を載置固定するための支持アンカーと、支持アンカーの上部に載置固定し、欠損パーツを装着可能に構成した支持基台と支持基台に装着した欠損パーツとよりなり、しかも、支持アンカーと支持基台とは、互いに密着したテーパー嵌合構造を介して着脱自在に嵌着可能に構成すると共に、支持基台に穿設した縦方向の雌ネジ孔と支持アンカーの上面に穿設した縦孔との境に支持アンカー上面からなる段部を形成したことを特徴とする人体イプラント構造を提供せんとするものである。
【００１０】
骨体としては、顎骨であり、支持アンカーとしては、上部にアバットメントを載置固定するためのフィクスチャーと、フィクスチャーの上部に載置固定し、その上部に欠損パーツとしての義歯を載置固定すべく構成したアバットメントとの組合せであり、欠損パーツとしては、義歯であり、人体インプラント構造としてはデンタルインプラント構造であり、しかも、アバットメントと義歯台とは互いに密着したテーパー嵌合構造を介して着脱自在に嵌着すべく構成すると共に、義歯台に穿設した縦方向の雌ネジ孔とアバットメントに穿設した縦方向の雄ネジ貫通孔との境にアバットメント上面からなる段部を形成したことを特徴とする請求項１に記載の人体インプラント構造を提供せんとするものである。
【００１１】
また、顎骨に埋設したフィクスチャーと、上部に義歯を載置固定すべく構成したアバットメントとは、上半部が支持台に貫通した雄ネジ貫通孔と合致した形状の雄ネジ棒を介して一体に連設したことを特徴とする。
【００１２】
また、アバットメントに貫通した雄ネジ貫通孔は上方に行くに従って拡開状に形成したことを特徴とする。
【００１３】
また、以下の各工程によりなるデンタルインプラント構造構築方法を提供するものである。
工程i）
上部にアバットメントを載置固定するためのフィクスチャーを顎骨に埋設するフィクスチャー設置工程。
工程ii）
上部に義歯を載置固定すべく構成したアバットメントをフィクスチャーの上部に載置した後に、アバットメントとフィクスチャーとのそれぞれに相対して穿設した雌ネジ孔及び雄ネジ貫通孔に雄ネジ棒を挿入し別途用意した雄ネジ締込み具により雄ネジ棒をフィクスチャーの雌ネジ孔に螺着してアバットメントをフィクスチャーに連設固定するアバットメント連設工程。
工程iii）
アバットメントの上部に義歯台をテーパー嵌合構造を介して着脱自在に載置し、別途用意した義歯台締込み用ネジ具を雌ネジ孔に螺入しネジ具先端が下方の雄ネジ棒上端面に当接しながら螺進することによりアバットメントの周面に義歯台の嵌合孔を密着嵌合させる義歯台嵌着工程。
工程iv）
義歯台を含む歯並び部分を型取りするために型取り樹脂を義歯台を含む歯並び部分に被覆する型取り被覆工程。
工程v）
型取り樹脂の上方から別途用意した離反用雄ネジ具を義歯台の雌ネジ孔始端から螺入して先端面をアバットメントの段部に圧接させながら圧接反力を利用してアバットメントと義歯台とを離反させ、口腔内にアバットメントを残留した状態とする義歯台離反工程。
工程vi）
アバットメントから離反した義歯台を保有する型取り樹脂を口腔内から取り出して反転し、型取り樹脂の表面に開口した義歯台のテーパー状の嵌合孔にテーパー嵌合構造を介して先端部が嵌合孔と相対する形状を有するダミーの仮止めアンカーを嵌合するアンカー仮止め工程。
工程vii）
義歯台のテーパー状の嵌合孔にテーパー嵌合構造を介してダミーの仮止めアンカーを嵌合立設した状態で仮止めアンカーを埋設するように型取り樹脂の表面凹部に石膏などの型取り材を流入する型取り材流入工程。
工程viii）
型取り材の硬化後に、義歯台を型取り樹脂内に残留したまま型取り樹脂の表面凹部から仮止めアンカーと共に硬化した型取り材を抜去することにより、石膏などの型取り材による口腔内の歯並び模型を完成する模型作製工程。
工程ix）
歯並び模型のインプラント対応箇所に露出した仮止めアンカーのテーパー状の頭部に別途用意した義歯台をテーパー嵌合構造を介して嵌合載置するアンカーへの義歯台嵌着工程。
工程x）
周辺の歯並び模型と調整しながら義歯台に義歯を冠歯する冠歯工程。
工程xi）
別途用意した離反用雄ネジ具を義歯台の雌ネジ孔始端から螺入して先端面を仮止めアンカーの上端面に圧接させながら圧接反力を利用して仮止めアンカーから義歯台を離反させ取り出す義歯台取り出し工程。
工程xii）
取り出した義歯台を患者の口腔内に設置しているアバットメントにテーパー嵌合構造を介して嵌着し、次いで、別途用意した義歯台締込み用ネジ具を雌ネジ孔に螺入しネジ具先端が下方の雄ネジ棒上端面に当接しながら螺進することによりアバットメントの周面に義歯台の嵌合孔を密着嵌合する最終義歯台嵌着工程。
工程xiii）
義歯台の中央に穿設した雌ネジ孔を閉塞するようにした雌ネジ孔閉塞工程。
【００１４】
また、義歯台に縦方向に穿設した雌ネジ孔に螺入した上部雄ネジを雌ネジ孔の上端開口部から螺退して抜去し、その後、上部雄ネジを抜去した雌ねじ孔に別途用意した雄ネジからなる離反用雄ネジ具を螺入し、離反用雄ネジ具の下端面を雌ネジ孔の最下端に位置する段部に当接させた後に更に螺進させることにより義歯台のアバットメントに対する反力を利用して、義歯台をアバットメントから離反させて取り外すことが出来るようにしたことを特徴とする請求項１又は請求項２に記載のデンタルインプラント構造における分解方法を提供せんとするものである。
【００１５】
フィクスチャーとアバットメントとは、一体構造としたことを特徴とする請求項２から請求項６のいづれか１項に記載の人体インプラント構造及び人体インプラント構築方法並びにその分解方法。
【００１６】
義歯台には、欠損パーツとしての義歯を装着するのではなく、歯科矯正用に使用するワイヤーを係止するための係合部を設けることを特徴とする請求項２ないし請求項４の何れか１項に記載の人体インプラント構造。
【００１７】
欠損パーツとしては、義眼、義耳、義鼻のうちの何れか一つであることを特徴とする請求項１に記載の人体インプラント構造。
【発明の効果】
【００１８】
請求項１の発明によれば、支持アンカーと支持基台とは互いに密着したテーパー嵌合構造を介して着脱自在に嵌着すべく構成すると共に、支持基台に穿設した縦方向の雌ネジ孔と支持アンカーに穿設した縦方向の雄ネジ貫通孔との境にアバットメント上面からなる段部を形成したことにより、支持基台締込み用ネジ具を用いることによりテーパー嵌合構造を介して支持アンカーと支持基台との嵌着を行うことが出来るため確実に両者の嵌着や離脱を行うことが出来ると共に、短時間でインプラントの構築作業ができ、また構築後の補修及び点検も簡単に行え、患者への医療心理負担を可及的に減少することが出来、更には、ネジやセメントによる接着を用いないため複雑な作業を必要とせず簡単な作業でアバットメントと義歯台との嵌着連設作業や離脱作業が行える効果がある。このように別途用意した支持基台締込み用ネジ具を用いてテーパー嵌合構造を介して支持アンカーと支持基台との嵌着を行うものであるため、セメント接着やネジ螺着を不要としこれらから生起するさまざまなデンタル医療上の問題を回避することが出来る。
しかも、各ネジ孔の境に段部を形成したので、義歯台締込み用ネジ具を用いてテーパー嵌合構造を介して支持アンカーと支持基台との嵌着を行うに際し、この段部を利用して義歯台締込み用ネジ具による増締め効果を確実にかつ容易に行うことが出来、更には段部に作用する締込み反力を用いて容易に支持アンカーから支持基台を離脱することが出来る効果がある。
【００１９】
請求項２から請求項４の発明によれば、アバットメントに貫通した雄ネジ貫通孔は上方に行くに従って拡開状に形成し、しかも、顎骨に埋設したフィクスチャーと、上部に義歯を載置固定すべく構成したアバットメントとは、上半部が支持台に貫通した雄ネジ貫通孔と合致した形状の雄ネジ棒を介して一体に連設したことにより、雄ネジ棒により両者を連結した場合アバットメントがこの拡開状の形状を介してフィクスチャーから簡単に抜去されず確実に連設固定が行え、また、必要に応じて雄ネジ棒によりフィクスチャーとアバットメントとの間の両者の増締めが簡単な作業で行えてインプラント構築作業が短時間でかつ低価格でかつ技量に拘わらず正確に行える効果がある。
【００２０】
請求項５の発明によれば、工程iii）において、アバットメントの上部に義歯台をテーパー嵌合構造を介して着脱自在に載置し、別途用意した義歯台締込み用ネジ具を雌ネジ孔に螺入しネジ具先端が下方の雄ネジ棒上端面に当接しながら螺進することによりアバットメントの周面に義歯台の嵌合孔を密着嵌合させる義歯台嵌着工程を経るため、セメントなどの接着材を必要とせず、簡単にアバットメントへの義歯台の連設を行うことが出来る効果がある。
工程v）において、アバットメントと義歯台とを離反させ、工程vi）において、アバットメントから離反した義歯台を保有する型取り樹脂を口腔内から取り出して反転し、型取り樹脂の表面に開口した義歯台のテーパー状の嵌合孔にダミーの仮止めアンカーを嵌合するため、次の型取り材による模型作製の準備が容易にできる効果がある。
工程vii）とviii）において、型取り樹脂の表面凹部に石膏などの型取り材を流入し、型取り材の硬化後に、義歯台を型取り樹脂内に残留したまま型取り樹脂の表面凹部から仮止めアンカーと共に硬化した型取り材を抜去することにより石膏などの型取り材による口腔内の歯並び模型を完成し、工程ix）において、歯並び模型のインプラント対応箇所に露出した仮止めアンカーのテーパー状の頭部に別途用意した義歯台をテーパー嵌合構造を介して嵌合載置するため、最終に口腔内に設置する義歯台を模型の隣接する歯や他の歯並びとのバランスを考慮しながら作り上げることが出来る効果がある。
工程x）において、周辺の歯並び模型と調整しながら義歯台に義歯を冠歯し、工程xi）において、別途用意した離反用雄ネジ具を義歯台の雌ネジ孔始端から螺入して先端面を仮止めアンカーの上面に圧接させながら圧接反力を利用して仮止めアンカーから義歯台を離反させ取り出すことにより、口腔内の実際のアバットメントに正確に嵌合し得る義歯台を得ることが出来る効果がある。
工程xii）において、取り出した義歯台を患者の口腔内に設置しているアバットメントにテーパー嵌合構造を介して嵌着し、次いで、別途用意した義歯台締込み用ネジ具を雌ネジ孔に螺入し、ネジ具先端が下方の雄ネジ棒上端面に当接させながら螺進することによりアバットメントの周面に義歯台の嵌合孔を密着嵌合することが出来、セメントなどの接着材などを用いることなく確実にかつ容易に安全な義歯台を構築することが出来る効果がある。
工程xiii）において、義歯台の中央に穿設した雌ネジ孔を閉塞することにより、義歯台の雌ネジ孔を閉塞して異物の侵入などを防止し、さらに、フィクスチャーとアバットメントとの接合の緩みを防止することが出来るという効果がある。
このように請求項４の各工程より構成することにより、義歯台やアバットメントを簡単に脱着することが出来、インプラント構築の熟練者でなくても確実にインプラント構築作業を行うことが出来、患者の医療心理負担を可及的に減少することが出来る効果がある。
【００２１】
請求項６の発明によれば、義歯台に縦方向に穿設した雌ネジ孔に螺入した上部雄ネジを雌ネジ孔の上端開口部から螺退して抜去し、その後、上部雄ネジを抜去した雌ネジ孔に別途用意した雄ネジからなる離反用雄ネジ具を螺入し、離反用雄ネジ具の下端面を雌ネジ孔の最下端に位置する段部に当接させた後に更に螺進させることにより義歯台のアバットメントに対する反力を利用して、義歯台をアバットメントから離反させて取り外すことが出来るものであるため、簡単に義歯台をアバットメントから取り外してインプラントの補修が簡単に行える効果があり、作業性からもコスト上からも有利な効果がある。
【００２２】
請求項７から請求項９の発明によれば、フィクスチャーとアバットメントとを一体構造としたことにより、構造を簡単にして確実なインプラント構造と構築方法とその分解方法を提供することができる効果がある。
【００２３】
請求項１０の発明によれば、歯科矯正用に使用するワイヤーを係止するために義歯台を利用することができるので、ワイヤーを確実に係止して正しい歯科矯正が可能となる効果がある。
【００２４】
請求項１１の発明によれば、欠損パーツとしては義眼、義耳、義鼻などとしたことにより、これらの義眼等を欠損部分の近傍に存在する骨体に脱落することなく確実に取付けることができる効果がある。
【図面の簡単な説明】
【００２５】
【図１】本実施形態のデンタルインプラント構造を示す説明図である。
【図２】本実施形態のデンタルインプラント構造を示す分解斜視図である。
【図３】アバットメント及び義歯台の変形例を示す分解斜視図である。
【図４】アバットメント及び義歯台の変形例を示す分解斜視図である。
【図５】本実施形態のデンタルインプラント構造の変形例を示す分解斜視図である。
【図６】本実施形態のデンタルインプラント構造の変形例を示す説明図である。
【図７】本実施形態のデンタルインプラント構造の変形例を示す分解正面図である。
【図８】本実施形態のデンタルインプラント構造の変形例を示す分解断面図である。
【図９】本実施形態のデンタルインプラント構造の変形例を示す断面図である。
【図１０】本実施形態のデンタルインプラント構造の変形例を示す正面図である。
【図１１】雄ネジ締込み具の使用手順を示す説明図である。
【図１２】義歯台離脱用治具の使用手順を示す説明図である。
【図１３】入れ歯用のデンタルインプラント構造を示す説明図である。
【図１４】入れ歯用のデンタルインプラント構造を示す断面図である。
【図１５】入れ歯用のデンタルインプラント構造を示す分解斜視図である。
【図１６】入れ歯用のデンタルインプラント構造を示す説明図である。
【図１７】入れ歯用のデンタルインプラント構造を示す断面図である。
【図１８】入れ歯用のデンタルインプラント構造を示す分解斜視図である。
【図１９】入れ歯用のデンタルインプラント構造の変形例を示す説明図である。
【図２０】入れ歯用のデンタルインプラント構造の変形例を示す断面図である。
【図２１】入れ歯用のデンタルインプラント構造の変形例を示す分解斜視図である。
【図２２】矯正用のデンタルインプラント構造を示す分解斜視図である。
【図２３】矯正用のデンタルインプラント構造の使用状態を示す説明図である。
【図２４】矯正用のデンタルインプラント構造の変形例１を示す分解斜視図である。
【図２５】矯正用のデンタルインプラント構造の変形例１の使用状態を示す説明図である。
【図２６】矯正用のデンタルインプラント構造の変形例２を示す分解斜視図である。
【図２７】矯正用のデンタルインプラント構造の変形例２の使用状態を示す説明図である。
【図２８】矯正用のデンタルインプラント構造の変形例３を示す分解斜視図である。
【図２９】矯正用のデンタルインプラント構造の変形例３の使用状態を示す説明図である。
【図３０】本実施形態のデンタルインプラント構造の構築方法を示す工程図である。
【図３１】本実施形態のデンタルインプラント構造の構築方法を示す工程図である。
【図３２】本実施形態のデンタルインプラント構造の構築方法を示す工程図である。
【図３３】本実施形態のデンタルインプラント構造の構築方法を示す工程図である。
【図３４】本実施形態のデンタルインプラント構造の構築方法を示す工程図である。
【図３５】本実施形態のデンタルインプラント構造の構築方法を示す工程図である。
【図３６】本実施形態のデンタルインプラント構造の構築方法を示す工程図である。
【図３７】本実施形態のデンタルインプラント構造の構築方法を示す工程図である。
【図３８】本実施形態のデンタルインプラント構造の構築方法を示す工程図である。
【図３９】本実施形態のデンタルインプラント構造の構築方法を示す工程図である。
【図４０】本実施形態のデンタルインプラント構造の構築方法を示す工程図である。
【図４１】本実施形態のデンタルインプラント構造の構築方法を示す工程図である。
【図４２】本実施形態のデンタルインプラント構造の構築方法を示す工程図である。
【図４３】本実施形態のデンタルインプラント構造の構築方法を示す工程図である。
【図４４】平行治具の使用手順を示す説明図である。
【図４５】平行治具の使用手順を示す説明図である。
【図４６】雄ネジ締込み具を示す斜視図である。
【図４７】義歯台締込み用ネジ具を示す斜視図である。
【図４８】離反用雄ネジ具を示す斜視図である。
【図４９】義歯台離脱用治具の使用手順を示す説明図である。
【図５０】義歯台離脱用治具の使用手順を示す説明図である。
【図５１】義歯台離脱用治具の使用手順を示す説明図である。
【図５２】義歯台離脱用治具の使用手順を示す説明図である。
【図５３】義歯台離脱用治具の使用手順を示す説明図である。
【図５４】人体インプラント構造の使用状態を示す斜視図である。
【図５５】義耳インプラント構造を示す説明図である。
【図５６】従来のデンタルインプラント構造を示す説明図である。
【図５７】従来のデンタルインプラント構造を示す説明図である。
【発明を実施するための形態】
【００２６】
この発明の実施例を図面に基づき詳説する。
【００２７】
この発明の実施例であるデンタルインプラント構造及びデンタルインプラント構造の構築方法並びにデンタルインプラント構造の分解方法は、図１〜図５３に示すように次のように構成される。
【００２８】
Ｉ［デンタルインプラント構造］
図１及び図２に示すように、実施例のデンタルインプラント構造１は、顎骨Ｂに埋設しその上部にアバットメント３を載置固定するためのフィクスチャー２と、フィクスチャー２の上部に載置固定しその上部に義歯５を載置固定すべく構成したアバットメント３と、アバットメント３の上部に載置固定した義歯台４と、義歯台４に設けた義歯５とより構成している。
【００２９】
しかも、アバットメント３と義歯台４とは互いに密着するように、アバットメント３の外周面と義歯台４の嵌合孔１４の内周面とが、互いに対応するテーパー面を形成している。このように、両者をテーパー嵌合構造１０を介して着脱自在に嵌着すべく構成すると共に、義歯台４に穿設した縦方向の雌ネジ孔１１はアバットメント３に穿設した縦方向の縦孔としての雄ネジ貫通孔１２よりも大径に形成し、それぞれ連通する各ネジ孔１１，１２の境にアバットメント３上面からなる段部１３を形成している。
【００３０】
また、アバットメント３に貫通した雄ネジ貫通孔１２は上方に行くに従って拡開状のテーパーに形成している。
【００３１】
また、顎骨Ｂに埋設したフィクスチャー２と、上部に義歯５を載置固定すべく構成したアバットメント３とは、雄ネジ棒６を介して一体に連設されており、雄ネジ棒６の上半部はアバットメント３に貫通したテーパーの雄ネジ貫通孔１２と合致した上方拡開状のテーパーの形状としている。なお、一方のフィクスチャー２の上部には六角形状の凹部を形成し、他方のアバットメント３下部には六角形状の凸部を形成して、フィクスチャー２の凹部にアバットメント３の凸部が嵌着自在となすようにしている。
【００３２】
アバットメント３は、図１及び図２に示すように、略臼形に形成され、段部１３を形成する上面に雄ネジ貫通孔１２が開口している。しかし、アバットメント３は、かかる構成に限定されるものではなく、種々の変形例を用いることができる。
【００３３】
デンタルインプラント構造の変形例について、図３及び図４を参照しながら説明する。図３及び図４に示すデンタルインプラント構造の変形例は、上述したデンタルインプラント構造におけるアバットメント３の上面からなる段部１３の形状が異なっている。
【００３４】
すなわち、図３に示すように、アバットメント３の段部１３は、上部の中央の雄ネジ貫通孔１２の他にさらに、上面の周縁を断面視テーパー状にくり抜いた溝部１８が形成されている。そして、この段部１３に対称な形状が義歯台４の嵌合孔１４に形成されている。
【００３５】
このような段部１３形状とすることで、アバットメント３に義歯台４を螺入して嵌着した際には、義歯台４の前面と背面とを区別して位置決めを行うことが可能となる。
【００３６】
次に、図４に示すように、アバットメント３の段部１３は、上部の中央の雄ネジ貫通孔１２の他にさらに、上面の周縁を半円柱状にくり抜いた凹部１９が形成されている。そして、この段部１３に対称な形状が義歯台４の嵌合孔１４に形成されている。
【００３７】
このような段部１３形状とすることで、アバットメント３に義歯台４を嵌着した際には、義歯台４の前面と背面とを区別して位置決めを行うことが可能となる。
【００３８】
なお、本実施形態においては、義歯台４の雌ネジ孔１１を、アバットメント３の雄ネジ貫通孔１２より大径となるように形成して段部１３を形成したが、両者を略同一径として段部１３を形成することもできる。例えば、平面視真円形状で断面視ストレート形状とした雄ネジ貫通孔１２を、そのアバットメント３における上面開口部分をかしめるなどして、わずかに略楕円形状とするのである。そして、義歯台４の雌ネジ孔１１の直径を、雄ネジ貫通孔１２における略楕円開口をなす前記上面開口部分の長軸相当部分と略同径にすれば、互いに連通する雌ネジ孔１１と雄ネジ貫通孔１２との境に、アバットメント３の上面からなる段部１３を形成することができる。したがって、この場合でも、アバットメント３から義歯台４を取り外す際には、離反用雄ネジ具Ｑの平坦部Ｑ３がアバットメント３の前記段部に当接することで取り外すことが出来る。
【００３９】
なお、このとき、雄ネジ棒６の長さを、上述してきた例よりも短く形成しておき、螺合させた状態のその上端と、略楕円開口をなす前記上面開口部分までの間のストロークで当該雄ネジ棒６をフィクスチャー２から抜去可能にしておけばよい。
【００４０】
さらに、デンタルインプラント構造の変形例について、図５〜図１０を参照しながら説明する。上記デンタルインプラント構造と同一の構成については、同一の符号を付して重複説明を省略する。図５は本実施形態のデンタルインプラント構造の変形例を示す分解斜視図である。図６は本実施形態のデンタルインプラント構造の変形例を示す説明図である。図７は本実施形態のデンタルインプラント構造の変形例を示す分解正面図である。図８は本実施形態のデンタルインプラント構造の変形例を示す分解断面図である。図９は本実施形態のデンタルインプラント構造の変形例を示す断面図である。図１０は本実施形態のデンタルインプラント構造の変形例を示す正面図である。
【００４１】
図５〜図１０に示すように、デンタルインプラント構造１は、顎骨に埋設しその上部にアバットメント３を載置固定するためのフィクスチャー２と、フィクスチャー２の上部に載置固定しその上部に義歯５を載置固定すべく構成したアバットメント３と、アバットメント３の上部に載置固定した義歯台４と、義歯台４に設けた義歯５とより構成している。
【００４２】
しかも、アバットメント３と義歯台４とは互いに密着するように、アバットメント３の外周面と義歯台４の嵌合孔１４(図８参照)の内周面とが、互いに対応するテーパー面を形成している。このように、両者をテーパー嵌合構造１０を介して着脱自在に嵌着すべく構成すると共に、義歯台４に穿設した縦方向の雌ネジ孔１１はアバットメント３に穿設した縦方向の雄ネジ貫通孔１２よりも小径に形成し、それぞれ連通する各ネジ孔１１，１２の境にアバットメント３上面と雄ネジ棒６の六角孔６ｄからなる段部１３を形成している。
【００４３】
この雄ネジ棒６は、上方に行くに従って大きさの異なる円柱を一体化した形状に形成している。すなわち、下部部分には、フィクスチャー２の雌ネジ孔１５に螺合する雄ネジ部分６ａが形成され、中部部分は、上方に行くに従って大きくなる円柱形状に形成され、上部部分は、最大径の円板形状に形成され、その中央には６角形状のネジ孔６ｄが開口している。
【００４４】
また、顎骨Ｂに埋設したフィクスチャー２と、上部に義歯５を載置固定すべく構成したアバットメント３とは、雄ネジ棒６を介して一体に連設されている。なお、一方のフィクスチャー２の内部には六角形状の凹部２ａを形成し、他方のアバットメント３下部には六角形状の凸部３ａを形成して、フィクスチャー２の凹部２ａにアバットメント３の凸部３ａが嵌着自在となすようにしている。
【００４５】
義歯台４には、上側部分に８角形状の頭部４ｂが形成され、下側部分にリング形状の係合突起４ａが複数形成されている。フィクスチャー２、アバットメント３、雄ネジ棒６、義歯台４が一体の形態で顎骨Ｂに埋没している際に、この義歯台４の頭部４ｂにレンチ工具を取り付けて回動させることで、さらに、フィクスチャー２部分を顎骨Ｂに埋没させて埋め込み深さの微調整を行うことができる。
【００４６】
図１１に示すように、フィクスチャー２にアバットメント３を装着する際、フィクスチャー２の雌ネジ孔１５にアバットメント３を装着し、アバットメント３の雄ネジ貫通孔１２から雄ネジ棒６を挿着して、雄ネジ棒６の雄ネジ部分６ａをフィクスチャー２の雌ネジ孔１５に螺入させる。このとき雄ネジ棒６の雄ネジ棒上端面６ｃに開口した段部の一部分としての六角孔６ｄに別途用意した雄ネジ締込み具Ｍを嵌着させて回動させることで、フィクスチャー２にアバットメント３を一体装着することとなる。
なお、雄ネジ締込み具Ｍは、ドライバ先端部Ｍ２が六角形状をなし、雄ネジ棒６の六角孔６ｄに嵌着自在に形成され、基端側に把持するためのハンドル部Ｍ１が形成されている。
【００４７】
図１２に示すように、アバットメント３と義歯台４とのテーパー嵌合状態を離反させる際は、義歯台４上部の雌ネジ孔１１から離反用雄ネジ具Ｑを挿入しつつ螺入して、その先端が段部の一部分としての雄ネジ棒６の六角孔６ｄ底面に到達し、さらに離反用雄ネジ具Ｑをねじ込むとアバットメント３から義歯台４が離反することとなる。このとき、アバットメント３と雄ネジ棒６の上端面と義歯台４の嵌合孔１４に間隙が形成されて取り外し応力により、テーパー嵌合したアバットメント３と義歯台４とを容易に着脱自在とすることができる。
【００４８】
なお、上記したデンタルインプラント構造においては、アバットメント３とフィクスチャー２とは別体として雄ネジ棒６で一体に連結するように構成しているが、必ずしも別体に構成することなく、予め一体の構造とすることも可能である。
【００４９】
上述したアバットメント３とフィクスチャー２とを一体構造としたものを支持アンカーとし、この支持アンカーを顎骨に埋没し、その支持アンカーの上部に入れ歯用或いは矯正用の義歯台を載置固定する入れ歯用或いは矯正用のデンタルインプラント構成の実施例を説明する。
【００５０】
［入れ歯用のデンタルインプラント構造］
入れ歯用のデンタルインプラント構造について、図１３から図１８を参照しつつ説明する。なお、以下の入れ歯用のデンタルインプラント構造は、上述したデンタルインプラント構造や冠矯義歯用のデンタルインプラント構造にも適用することができるものである。
【００５１】
図１３及び図１４に示すように、入れ歯用のデンタルインプラント構造３１は、顎骨Ｂに支持アンカー８を埋没し、その上部に入れ歯用の義歯台３４を載置固定すべく構成している。
【００５２】
しかも、支持アンカー８と入れ歯用の義歯台３４とは互いに密着するように、支持アンカー８の上部外周面と義歯台３４の嵌合孔１４の内周面とが、互いに対応するテーパー面を形成している。すなわち、両者をテーパー嵌合構造１０を介して着脱自在に嵌着すべく構成すると共に、義歯台３４に穿設した縦方向の雌ネジ孔１１は支持アンカー８に穿設した縦方向の縦孔としての雄ネジ貫通孔１２よりも大径に形成し、それぞれ連通する各ネジ孔１１，１２の境に支持アンカー８上面からなる段部１３を形成している。
【００５３】
支持アンカー８は、その上部が略臼形に形成されると共に下部がネジ状に形成され、段部１３を形成する上面の中央に雄ネジ貫通孔１２が開口している。
【００５４】
入れ歯用の義歯台３４の外形は、下方から上方に向って外径の異なるリングを重ねた形状をなしている。この下部部分は、その外形を大径のリング状に形成され、底部中央には、嵌合孔が開口している。また、下部部分に連設した中部部分は、その外形を小径のリング状に形成される。中部部分に連設した上部部分は、その外形を中径のリング状に形成され、上面中央には雄ネジ孔１１が開口している。
【００５５】
図１５に示すように、一旦、テーパー嵌合した支持アンカー８と入れ歯用の義歯台３４とを離反させるためには、別途用意した離反用雄ネジ具Ｑを用いるようにしている。すなわち、離反用雄ネジ具Ｑを義歯台３４の雌ネジ孔１１始端に螺入していき、離反用雄ネジ具Ｑの先端面を支持アンカー８の段部１３に圧接させながら圧接反力を利用して支持アンカー８と義歯台３４とを離反させることができる。
【００５６】
図１６及び図１７に示す支持アンカー３８は、顎骨Ｂに対して斜めにアンカーリングする際に用いるためのものであり、その上部部分に対して斜め方向になるようにアンカー部分が連設されている。また、支持アンカー３８の上面には、アンカー部分の軸方向と一致するように雄ネジ貫通孔１２が開口している。この支持アンカー３８を顎骨に斜めに埋没させても、支持アンカー３８の上部部分の上面が水平状態に維持される。
【００５７】
図１８に示すように、一旦、テーパー嵌合した支持アンカー３８と入れ歯用の義歯台３４とを離反させるためには、別途用意した離反用雄ネジ具Ｑを用いるようにしている。すなわち、離反用雄ネジ具Ｑを義歯台３４の雌ネジ孔１１始端に螺入していき、離反用雄ネジ具Ｑの先端面を支持アンカー３８の段部１３に圧接させながら圧接反力を利用して支持アンカー３８と義歯台３４とを離反させることができる。
【００５８】
上述した入れ歯用のデンタルインプラント構造３１を患者の口腔Ｄ内に設けることにより、患者は短期間で入れ歯Ｋを使用することができるようになる（図５４参照）。
【００５９】
［入れ歯用のデンタルインプラント構造の変形例］
入れ歯用のデンタルインプラント構造の変形例について、図１９から図２１を参照しつつ説明する。入れ歯用のデンタルインプラント構造の変形例は、上述した入れ歯用のデンタルインプラント構造３１における入れ歯用の義歯台３４の外形状が異なるものである。
【００６０】
図１９及び図２０に示すように、この入れ歯用の義歯台４４の外形は、その上部部分が断面視台形状の截頭円錐形状に形成され、その下部部分が断面視において突出したそろばん形状に形成される。
【００６１】
上述した入れ歯用のデンタルインプラント構造４１を患者の口腔内に設けることにより、患者は短期間で入れ歯を使用することができるようになる。
【００６２】
図２１に示すように、一旦、テーパー嵌合した支持アンカー８と入れ歯用の義歯台４４とを離反させるためには、別途用意した離反用雄ネジ具Ｑを用いるようにしている。すなわち、離反用雄ネジ具Ｑを義歯台４４の雌ネジ孔１１始端に螺入していき、離反用雄ネジ具Ｑの先端面を支持アンカー８の段部１３に圧接させながら圧接反力を利用して支持アンカー８と義歯台４４とを離反させることができる。
【００６３】
なお、上述した入れ歯用の義歯台４４は、その使用目的を入れ歯に用いることを前提に説明したが、単歯の義歯を冠設する台として用いるようにしてもよい。
【００６４】
［矯正用のデンタルインプラント構造］
矯正用のデンタルインプラント構造について、図２２及び図２３を参照しつつ説明する。
【００６５】
矯正用のデンタルインプラント構造５１は、上下の顎骨Ｂに支持アンカー８をそれぞれ埋没し、その上部に矯正用の義歯台５４を載置固定すべく構成している。
【００６６】
矯正用の義歯台５４は、断面視台形状の截頭円錐形状に形成され、その外周部に歯科用ワイヤー９を係合させるためのワイヤー係合部５５，５５を並べて突設している。すなわち、各ワイヤー係合部５５は、側面視Ｌ字形状に形成され、外周部５４ａに立設した脚部５６と、その脚部５６の先端に設けられ、長方体形状の一方の面を切り欠いて凹状面５８が形成された係合部５７とから構成される。
【００６７】
図２３に示すように、患者の口腔Ｄ内の上顎骨Ｂ１と下顎骨Ｂ２に支持アンカー８，８をそれぞれ埋没し、それらの上部に矯正用の義歯台５４，５４をそれぞれテーパー嵌合させて、歯科用ワイヤー９を両義歯台５４，５４に架けて上下顎Ｂ１，Ｂ２を固定する。すなわち、上顎側の義歯台５４の係合部５７後部に歯科用ワイヤー８を架けて下顎Ｂ２へ渡し、下顎側の義歯台５４の係合部５７の凹状面５８にこの歯科用ワイヤー９を架けて、上下顎を固定するようにしている。かかる構造のワイヤー係合部５５を設けることにより、歯科用ワイヤー９を様々な態様で引掛け易く取り付け時間を短縮できる効果がある。
【００６８】
［矯正用のデンタルインプラント構造の変形例１］
矯正用のデンタルインプラント構造の変形例１について、図２４及び図２５を参照しつつ説明する。
【００６９】
矯正用のデンタルインプラント構造の変形例１は、上述した矯正用のデンタルインプラント構造５１における矯正用の義歯台５４の外形状が異なる。
【００７０】
矯正用の義歯台６４は、断面視台形状の截頭円錐形状に形成され、その外周部６４ａに歯科用ワイヤー９を係合させるための円柱形状のワイヤー係合部６５を突設している。ワイヤー係合部６５には、周面に係合溝６５ａを形成し、その係合溝６５ａに貫通孔６５ｂを形成している。
【００７１】
図２５に示すように、患者の口腔Ｄ内の上顎骨Ｂ１と下顎骨Ｂ２に支持アンカー８，８をそれぞれ埋没し、それぞれ上部に矯正用の義歯台６４，６４をテーパー嵌合させて、歯科用ワイヤー９を両義歯台６４，６４の円柱形状のワイヤー係合部６５，６５に架け渡して上下顎を固定する。すなわち、ワイヤー係合部６５の係合溝６５ａに歯科用ワイヤー９を係合させて使用する他に、貫通孔６５ｂに歯科用ワイヤー９を挿通して上下顎を固定するようにしてもよい。かかる構造のワイヤー係合部６５を設けることにより、歯科用ワイヤー９を引掛け易い効果がある。
【００７２】
［矯正用のデンタルインプラント構造の変形例２］
矯正用のデンタルインプラント構造の変形例２について、図２６及び図２７を参照しつつ説明する。
図２６に示すように、この矯正用のデンタルインプラント構造７１は、上顎骨Ｂ１に支持アンカー８を埋没し、その上部に２つのアーム部７５，７５を有する矯正用の義歯台７４を載置固定すべく構成している。
【００７３】
矯正用の義歯台７４は、断面視台形状の截頭円錐形状に形成され、その外周部７４ａに歯科用ワイヤー９を係合させるためのアーム部７５，７５を左右方向に配設している。すなわち、各アーム部７５には、その前後方向の両側部に凹状の係合部７６，７６，７６，７６が複数形成される。
【００７４】
図２７に示すように、上顎側の各歯ＥにブラケットＦをそれぞれ接着しており、一方、上顎の中央には、支持アンカー８を埋没し、その上部に矯正用の義歯台７４を載置した状態とする。歯科用ワイヤー９が、この義歯台７４の左右のアーム部７５，７５の係合部７６，７６と各ブラケットＦ，・・，Ｆとに取り付けられる。したがって、各歯Ｅが歯科用ワイヤー９を介して、矯正用のデンタルインプラント構造７１に引き寄せられることで、上顎の歯列の矯正を行うことができる。
【００７５】
また、左右のアーム部７５，７５には、先端側から基端側に沿って複数の係合部７６，・・，７６を設けたが、例えば、アーム部７５の基端側の係合部７６のみしか使用しない場合には、アーム部７５の先端側から３つ目の係合部７６付近から切り離して使用してもよい。
【００７６】
［矯正用のデンタルインプラント構造の変形例３］
矯正用のデンタルインプラント構造の変形例３について、図２８及び図２９を参照しつつ説明する。
【００７７】
図２８に示すように、この矯正用のデンタルインプラント構造８１は、上顎骨Ｂ１に支持アンカー８を埋没し、その上部に２つのアーム部８５，８５を有する矯正用の義歯台８４を載置固定すべく構成している。
【００７８】
矯正用の義歯台８４は、断面視台形状の截頭円錐形状に形成され、その外周部８４ａに歯科用ワイヤー８を係合させるためのアーム部８５，８５を左右方向に配設している。すなわち、一方の右アーム部８５は、平面視略Ｚ形状に形成され、他方の左アーム部８５は、平面視略逆Ｚ形状に形成されており、各アーム部８５，８５には、その前後方向の両側部に凹状の係合部８６，８６，８６，８６が複数形成される。
【００７９】
図２９に示すように、上顎側の各歯ＥにブラケットＦをそれぞれ接着しており、一方、上顎の中央には、支持アンカー８を埋没し、その上部に矯正用の義歯台８４を載置した状態とする。歯科用ワイヤー９が、この義歯台８４の左右のアーム部８５，８５の係合部８６，８６と各ブラケットＦ，・・，Ｆとに取り付けられる。したがって、各歯が歯科用ワイヤー９を介して、矯正用のデンタルインプラント構造に引き寄せられることで、上顎の歯列の矯正を行うことができる。左右のアーム部８５，８５を上記形状とすることにより、図２８に示した矯正用デンタルインプラント構造より各係合部８６，８６が咽頭部側に位置することが可能となる。
【００８０】
また、左右のアーム部８５，８５には、先端側から基端側に沿って複数の係合部８６，・・，８６を設けたが、例えばアーム部８５の基端側の係合部８６のみしか使用しない場合には、アーム部７５の先端側から３つ目の係合部８６付近から切り離して使用してもよい。
【００８１】
II［デンタルインプラント構造の構築方法］
図３０〜図４３に示すように、デンタルインプラント構造構築方法は次のｉ）〜xiii）の各工程より構成されている。
なお、本実施例では、単一の歯を失って顎骨Ｂにインプラントを行う形態を先に説明し、その後に架橋インプラント構造及びその構築方法を説明し、次いで双方のインプラント構造の分解方法の説明を行う。
【００８２】
すなわち、工程i）は、図３０に示すように、上部にアバットメント３を載置固定するためのフィクスチャー２を顎骨Ｂに埋設するフィクスチャー設置工程よりなる。
【００８３】
工程ii）は、図３１に示すように、上部に義歯５を載置固定すべく構成したアバットメント３をフィクスチャー２の上部に載置した後に、アバットメント３とフィクスチャー２とのそれぞれに相対して穿設した雌ネジ孔１５及び雄ネジ貫通孔１２に雄ネジ棒６を挿入し別途用意した雄ネジ締込み具Ｍにより雄ネジ棒６をフィクスチャー２の雌ネジ孔１５に螺着してアバットメント３をフィクスチャー２に連設固定するアバットメント連設工程よりなる。
【００８４】
この状態では、雄ネジ棒６の下部の雄ネジ部分６ａはフィクスチャー２に螺合されており、上部のテーパー部分６ｂはアバットメント３における上方拡開状の雄ネジ貫通孔１２のテーパーに嵌合している。従って、このテーパー嵌合によりアバットメント３は上方には抜けないようになっている。
【００８５】
工程iii）は、図３２に示すように、アバットメント３の上部に義歯台４をテーパー嵌合構造１０を介して着脱自在に載置し、別途用意した義歯台締込み用ネジ具Ｎを雌ネジ孔１１に螺入しネジ具先端が下方の雄ネジ棒上端面６ｃに当接するまで螺進することによりアバットメント３の周面に義歯台４の嵌合孔１４を密着嵌合させる義歯台嵌着工程よりなる。
【００８６】
工程iv）は、図３３に示すように、義歯台４を含む歯並び部分Ｃを型取りするために型取り樹脂Ｌを義歯台４を含む歯並び部分Ｃに被覆する型取り被覆工程よりなる。なお、型取り樹脂Ｌを被覆する前に、義歯台４の雌ネジ孔１１に長尺なネジ棒２２を螺合しておき、上記型取り被覆工程が完了したのちに、義歯台４からネジ棒２２を取り外すようにしている。
【００８７】
図中、Ｐは型取り樹脂Ｌを保持するための型取り容器である。
【００８８】
工程v）は、図３４に示すように、型取り樹脂Ｌの上方から別途用意した離反用雄ネジ具Ｑを義歯台４の雌ネジ孔始端に螺入していき、離反用雄ネジ具Ｑの先端面をアバットメント３の段部１３に圧接させながら圧接反力を利用してアバットメント３と義歯台４とを離反させ、口腔Ｄ内にアバットメント３を残留した状態とする義歯台離反工程よりなる。
【００８９】
型取り樹脂Ｌには、義歯台４の雌ネジ孔１１の開口端１１ａが露出するように開口孔Ｌ１を穿設している。
【００９０】
工程vi）は、図３５に示すように、アバットメント３から離反した義歯台４を保有する型取り樹脂Ｌを口腔Ｄ内から取り出して反転し、型取り樹脂Ｌの表面に開口した義歯台４のテーパー状の嵌合孔１４にこの嵌合孔１４と相対する形状を有するダミーの仮止めアンカー８０を嵌合するアンカー仮止め工程よりなる。仮止めアンカー８０の先端は義歯台４のテーパー状の嵌合孔１４と相対する形状、すなわち、患者の口腔Ｄ内に残っているアバットメント３のテーパー嵌合構造１０と同じ形状を形成している。なお、仮止めアンカー８０は、ダミーのフィクスチャーとダミーのアバットメントとをダミーの雄ネジ棒を介して連結した構造としたが、この構造に限定する必要はなく、ダミーのフィクスチャーとダミーのアバットメントとを一体成形した構造であってもよい。
【００９１】
工程vii）は、図３６に示すように、義歯台４のテーパー状の嵌合孔１４にテーパー嵌合構造１０を介してダミーの仮止めアンカー８０を嵌合立設した状態で仮止めアンカー８０を埋設するように型取り樹脂Ｌの表面凹部Ｌ２に石膏などの型取り材Ｒを流入する型取り材流入工程よりなる。
【００９２】
この型取り材Ｒを流入する場合は、インプラントの箇所に限らず歯並びその他の周辺の形状も型取りするものである。
【００９３】
工程viii）は、図３７に示すように、型取り材Ｒの硬化後に、義歯台４を型取り樹脂Ｌ内に残留したまま型取り樹脂Ｌの表面凹部から仮止めアンカー８０と共に硬化した型取り材を抜去することにより、石膏などの型取り材による口腔Ｄ内の歯並び模型Ｓを完成する模型作製工程よりなる。このとき、従来であれば、アバットメント上に新たに鋳造した義歯台を用いて模型作製を行っていたが、本実施形態では既成の義歯台４を用いて模型作製を行うことができるため、より精密で許容誤差のない歯並び模型Ｓを形成することが出来る。
【００９４】
型取り樹脂Ｌ内に残留したままの義歯台４を仮止めアンカー８０から抜去するに際しては、別途用意した離反用雄ネジ具Ｑを利用して極限までの締付けによる反力を利用することが出来る（図１６参照）。
【００９５】
工程ix）は、図３８に示すように、歯並び模型のインプラント対応箇所に露出した仮止めアンカー８０のテーパー状の頭部に別途用意した義歯台４をテーパー嵌合構造１０を介して嵌合載置するアンカー８０への義歯台嵌着工程よりなる。
【００９６】
ダミーの仮止めアンカー８０と別途用意した義歯台４とを嵌合するに際しては、別途用意した義歯台締込み用ネジ具Ｎを利用することが出来る。
【００９７】
工程x）は、図３９に示すように、周辺の歯並び模型Ｓと調整しながら義歯台４に義歯５を冠歯する冠歯工程よりなる。
【００９８】
工程xi）は、図４０に示すように、別途用意した離反用雄ネジ具Ｑを義歯台４の雌ネジ孔１１始端から螺入して先端面を仮止めアンカー８０の上端面に圧接させながら圧接反力を利用して仮止めアンカー８０から義歯台４を離反させ取り出す義歯台取り出し工程よりなる。
【００９９】
工程xii）は、図４１に示すように、取り出した義歯台４を患者の口腔Ｄ内に設置しているアバットメント３にテーパー嵌合構造１０を介して嵌着し、次いで、別途用意した義歯台締込み用ネジ具Ｎを雌ネジ孔１１に螺入しネジ具先端が下方の雄ネジ棒上端面６ｃに当接しながら螺進することによりアバットメント３の周面に義歯台４の嵌合孔１４を密着嵌合する最終義歯台嵌着工程よりなる。
【０１００】
工程xiii）は、図４２に示すように、義歯台４の中央に穿設した雌ネジ孔１１を閉塞すべく下端を先細状に形成した閉塞用ネジ７を雌ネジ孔１１に螺入して先端を雄ネジ棒上端面６ｃに当接させるようにした雌ネジ孔閉塞工程よりなる。なお、雌ネジ孔１１を閉塞するために閉塞用ネジ７を用いたが、歯科用セメントを用いて閉塞するようにしてもよい。
【０１０１】
図４３に示すように、工程xiii）の終了後に義歯５の上端面に穿設した雌ネジ孔１１に対応する作業孔１６を閉塞体１７にて閉塞する。
【０１０２】
このように義歯台４の中央に穿設した雌ネジ孔１１に下端を先細状に形成した閉塞用ネジ７を螺入して先端を雄ネジ棒上端面６ｃに当接させることにより雄ネジ棒６の弛緩を防止してフィクスチャー２からアバットメント３が離反し隙間が生起するのを防止することが出来る効果がある。
【０１０３】
なお、従来は、模型作製のときに鋳造した義歯台を使用していたが本実施形態にかかる義歯台には、既成の義歯台を使用できるため、軽量化することが出来、しかも、鋳造する工程が必要なくなるために、鋳造物からの溶出によるアレルギーの心配がなくなる効果がある。
【０１０４】
なお、従来の方法で顎骨Ｂにフィクスチャー２を埋没したときに、歯肉Ａが治癒するまでの期間はフィクスチャー２上部に蓋としての専用カフを取り付けていたが、本実施形態におけるアバットメント３は、フィクスチャー２に取り付けた状態で専用カフとしても使用することができる。
【０１０５】
また、アバットメント３に義歯台４を装着する際には、上記工程xii）において、歯台締込み用ネジ具Ｎを雌ネジ孔１１内に螺入し、ネジ具先端が下方の雄ネジ棒上端面６ｃに当接しながら螺進することによりアバットメント３の周面に義歯台４の嵌合孔１４を密着嵌合する最終義歯台嵌着工程を経るように構成しているが、最終義歯台嵌着工程では必ずしも雄ネジ孔１１に義歯台締込み用ネジ具Ｎを螺入してアバットメント３の周面に義歯台４を嵌合する必要はなく、テーパー嵌合を利用して単に、アバットメント３の周面に義歯台４を密着するように装着するだけでもよい。
【０１０６】
III［架橋インプラント構造及びその構築方法］
上記したデンタルインプラント構築方法は単一の歯自体を失っている場合のインプラント構築方法であり、これ以外に複数の義歯をインプラント構築しその間を架橋する場合、あるいは複数の義歯を連結する場合がある。
【０１０７】
しかも、他方のインプラント構築構造は、顎骨と歯並びの状況に応じて傾斜した状態でフィクスチャー２を埋設し、その上方に垂直にアバットメント３を載置して他のアバットメント３と平行性を保持するように構成し、図３２に示すように、その間に義歯台４を架橋し義歯２０を冠歯する。
【０１０８】
以下、２か所にインプラント構築しその間に義歯を架橋する架橋インプラント構築について説明する。
【０１０９】
まず、一方のインプラント位置におけるインプラント構築はすでに上記した方法と構造で構築する。
【０１１０】
次いで、架橋する歯に隣接する他方のインプラント位置において新たにインプラント構築をする。
【０１１１】
すなわち、図３０に示すように、顎骨Ｂに傾斜した状態でフィクスチャー２を埋設し、そのフィクスチャー２の上部にアバットメント３をやや傾斜して載置固定する。そして、その上部に義歯台４を載置固定し、義歯台４に義歯５を設ける。
【０１１２】
アバットメント３と義歯台４とは互いに密着したテーパー嵌合構造１０を介して着脱自在に嵌着すべく構成すると共に、義歯台４に穿設した縦方向の雌ネジ孔１１はアバットメント３に穿設した縦方向の雄ネジ貫通孔１２よりも大径に形成し、それぞれ連通する各ネジ孔１１，１２の境にアバットメント上端面からなる段部１３を形成する。
【０１１３】
ここで、アバットメント３に嵌着する義歯台４はすでに構築した隣接の義歯台４と平行性を保持するように、すなわち、平行性が保持できず、後述する架橋義歯台２１（図３２参照）を架設できない、アンダーカット状態とならないように別途用意した平行治具Ｔにより測量しながら傾斜したアバットメント３をその仮想軸線周りに回転させて平行度合いを調整する（図４５参照）。
【０１１４】
このようにして、上記した工程i）、ii）、iii）を遂行する（図３０から図３２参照）。
【０１１５】
かかる状態では、一方と他方の２個の義歯台４，４が平行に立設されており、次いで、２個の義歯台４，４の係合突起４ａ，・・，４ａを利用してその間に架橋義歯台２１を介在連設する。
【０１１６】
かかる状態で、立設された２個の義歯台４，４とその間の架橋義歯台２１を歯並び部分Ｃと共に型取り樹脂Ｌによって上記した工程iv）の型取り被覆工程を遂行する（図３３参照）。
【０１１７】
次いで、立設された２個の義歯台４，４とその間の架橋義歯台２１を一体として上記した工程v）によりそれぞれのアバットメント３から離反し、型取り樹脂Ｌと一体の２個の義歯台４，４とその間の架橋義歯台２１を上記した工程vi）により口腔Ｄ内から取り出し、型取り樹脂Ｌと一体のまま２個の義歯台４，４にダミーの仮止めアンカー８０をそれぞれに仮止めする（図３４から図３５参照）。
【０１１８】
次いで、立設された２個の義歯台４，４とその間の架橋義歯台２１について一体として上記した工程vii）を経ることにより型取り材Ｒ流入を行い、その後、硬化した型取り材を上記した工程viii）、ix）により抜去して型取り材による模型を作製し、更には、架橋義歯台２１を係合連設した２個の義歯台４，４を別途用意して、模型に立設された２個のダミーの仮止めアンカー８０，８０に２個の義歯台４，４を嵌合する（図３６から図３８参照）。
【０１１９】
そして、上記した工程x）において、ダミーの仮止めアンカー８０，８０に立設された２個の義歯台４，４とその間の架橋義歯台２１に３個の義歯５，５，５をそれぞれ装着し、次いで、上記した工程xi）において、義歯５，５，５の装着された２個の義歯台４，４を一体として仮止めアンカー８０，８０から離反させて取り出し、上記した工程xii）において義歯５，５，５の装着された２個の義歯台４，４とその間の架橋義歯台２１を患者の口腔Ｄ内に設置している２個のアバットメント３，３にテーパー嵌合構造１０，１０を介して嵌着し、最後に、上記した工程xiii）において各２個の義歯台４，４の雌ネジ孔１１，１１に閉塞用ネジ７，７をそれぞれ螺入して雌ネジ孔１１，１１を閉塞する（図３９から図４３参照）。
【０１２０】
ＩＶ［インプラント構造の分解方法］
上記したデンタルインプラント構造における義歯台の取り外し方法、すなわち、デンタルインプラント構造の分解方法は以下のようにして遂行される。
【０１２１】
図１において、義歯台４に縦方向に穿設した雌ネジ孔１１に螺入した閉塞用ネジ７を雌ネジ孔１１の上端開口部から螺退して抜去し、その後、図４０に示すような方法により、閉塞用ネジ７を抜去した雌ネジ孔１１に別途用意した雄ネジからなる離反用雄ネジ具Ｑを螺入し、離反用雄ネジ具Ｑの下端面を雌ネジ孔１１の最下端に位置する段部１３に当接させた後に更に螺進させることにより義歯台４のアバットメント３に対する反力を利用して、義歯台４をアバットメント３から離反させて取り外すことが出来る。
【０１２２】
Ｖ［別途用意する治具］
上記したデンタルインプラント構造の構築方法とインプラント構造の分解方法に関して使用される別途用意した治具は次の通りである。
【０１２３】
（１）工程ii）において使用される雄ネジ締込み具Ｍは、図４６に示すように、上端に円盤上のハンドル部Ｍ１を有したドライバであり、ドライバ下端Ｍ２は雄ネジ棒上端面６ｃの溝に係合自在の形状としており、フィクスチャー２にアバットメント３を連設固定するために使用するものであり、雄ネジ棒６をアバットメント３の雄ネジ貫通孔１２から挿通してアバットメント３の雄ネジ貫通孔１２に雄ネジ締込み具Ｍを差し込んで雄ネジ棒上端面６ｃに係合して回転させて締付ける。
【０１２４】
（２）工程iii）、xii）において使用される義歯台締込み用ネジ具Ｎは、図４７に示すように、上端に円盤上のハンドル部Ｎ１を有しその中央に義歯台４の雌ネジ孔１１と螺合可能なネジ部Ｎ２を垂設して構成しており、ネジ部Ｎ２の下端は平坦部Ｎ３を形成している。
【０１２５】
アバットメント３に義歯台４をテーパー嵌合構造１０を介して嵌合した後に義歯台締込み用ネジ具Ｎを雌ネジ孔１１に螺合していくと、下端の平坦部Ｎ３がアバットメント３上端の段部１３に当接し更に回転させると極限まで螺進した状態で締込みが完了し、アバットメント３に義歯台４が嵌着した状態となる。
【０１２６】
（３）工程v）、xi）において使用される離反用雄ネジ具Ｑは、図４８に示すように、義歯台締込み用ネジ具Ｎと同様に上端に円盤上のハンドル部Ｑ１を有しその中央に義歯台４の雌ネジ孔１１と螺合可能なネジ部Ｑ２を垂設して構成しており、ネジ部Ｑ２の下端は平坦部Ｑ３を形成している。
【０１２７】
アバットメント３から義歯台４を取り外す場合は、義歯台４の雌ネジ孔１１に義歯台締込み用ネジ具Ｎを螺合し、次いで極限まで螺進した状態で更に締め込むと平坦部と段部１３との当接部分で反力を生起して義歯台４をテーパー嵌合構造１０から離脱して取り外すことが出来る。
【０１２８】
（４）平行治具Ｔについて
図４４に示すように、２か所にインプラント構築しその間に義歯を架橋する架橋インプラント構築においては、一方のインプラント位置においてインプラント構築を行い、次いで、架橋する歯に隣接する他方のインプラント位置において新たにインプラント構築をするに際し、顎骨Ｂに傾斜した状態でフィクスチャー２を埋設し、そのフィクスチャー２の上部にアバットメント３をやはり傾斜して載置固定し、その上部に義歯台４を垂直に載置固定する。
【０１２９】
すなわち、図４５に示すように、アバットメント３に嵌着する義歯台４はすでに構築した隣接の義歯台４と平行性を保持するように別途用意した平行治具により測量しながら義歯台４下部の嵌合孔内面の形状を調整する。
【０１３０】
ここで使用する平行治具Ｔは、図４５に示すように、次のように構成されている。
【０１３１】
すなわち、平行治具Ｔは、側面に複数の縦溝Ｔ６をそれぞれ平行に形成した平面視略Ｌ字状の壁体Ｔ１と、この壁体の側部に連設した縦割り状の筒状ブラケットＴ２の内部に嵌着した先端球状の連結ボールＴ３と、連結ボールＴ３に連設したハンドル部Ｔ５とから構成している。さらに、筒状ブラケットＴ２の周面には横断する状態で締付けネジＴ４を取り付けており、この締付けネジＴ４を弛緩すると縦割り状の筒状ブラケットＴ２の周壁が伸縮して連結ボールＴ３の嵌着状態を弛緩することにより、口腔Ｄ内においてＬ字状の壁体Ｔ１の角度を自由に変位することが可能となる。
【０１３２】
平行治具Ｔを用いて測定する際には、測定治具Ｖを用いるようにしている。すなわち、測定治具Ｖは、アバットメント３に係合するカップ部Ｖ１と、カップ部Ｖ１の上部に立設したピンＶ２とからなる。
【０１３３】
使用に際しては、口腔Ｄ内におけるアバットメント３，３の外周に測定治具Ｖ，Ｖのカップ部Ｖ１，Ｖ１を嵌着し、平行治具ＴのＬ字状の壁体Ｔ１を口腔Ｄ内に挿入し、Ｌ字状の壁体Ｔ１の平行の縦溝Ｔ６に測定治具Ｖ，ＶのピンＶ２，Ｖ２が嵌着するか否かによりアバットメント３，３の平行度合いを測定し、各アバットメント３，３の傾倒角度を調節して平行なアバットメント３，３となるようにしている。なお、ピンＶ２の一方は、平行治具Ｔの壁体Ｔ１に形成した折曲角部の溝Ｔ７に嵌着し、他方のピンＶ２を壁体Ｔ１の溝Ｔ８に嵌着しながら平行調整を行う。
【０１３４】
（５）義歯台離脱用治具について
上記した工程v）、xi）において、義歯台４をアバットメント３や仮止めアンカー８０から強制的に離脱させるために使用される義歯台離脱用治具Ｕは、下方開口の略コ字状に形成した治具本体Ｕ１の天井板Ｕ２に離反用雄ネジ具Ｕ３が挿通するだけの孔Ｕ４を開口し、治具本体Ｕ１の左右側板に義歯台４の周面に先端が当接する挟持ボルトＵ５を螺合して構成している（図５２参照）。
【０１３５】
使用に際しては、口腔Ｄ内において雄ネジ締込み具Ｍを用いてフィクスチャー２から義歯台４と一体のアバットメント３を離脱し、アバットメント３を義歯台離脱用治具Ｕの治具受台Ｕ６に螺合し、治具本体Ｕ１を義歯台４の上方から被せて挟持ボルトＵ５を介して義歯台４の周面に固定し、離反用雄ネジ具Ｕ３を上方から雌ネジ孔１１に螺合して極限まで締付けながら義歯台４を反対方法に回転させて強制的にテーパー嵌合構造１０から義歯台４を離脱させることが出来る（図５０から図５３参照）。
【０１３６】
以上、Ｉ〜Ｖ項において述べたのは、デンタルインプラントに関する実施例である。
しかし、これは人体インプラントにおける一実施例に過ぎず本発明の要旨は、義歯のインプラント技術を含む各種の欠損パーツの人体インプラント技術に関するものである。
【０１３７】
すなわち、欠損パーツとして例えば、義眼、義耳、義鼻などを人体に取付けるに際し、人体欠損部分の近傍の骨体に支持アンカーを埋設し、その上部に支持基台を載置固定し、支持基台に、各種の欠損パーツを装着固定するものである。
【０１３８】
欠損パーツは、義眼Ｈや義耳Ｉや義鼻Ｊなど事故等により人体の一部が欠損した部分を補完するためのものであり、欠損部分に可及的に擬似した人工製作のパーツである。
【０１３９】
これらの欠損パーツの取付けの作業技術は義歯に関して述べたと同様の構造とし、その構造の構築方法と分解方法とを応用することができる。
【０１４０】
以下に義耳を欠損パーツとして耳孔近傍の骨体に支持アンカーを埋没し、その上部に支持基台を載置固定する義耳インプラント構造の実施例を説明する。以下の義耳インプラント構造は、上述したデンタルインプラント構造と同じものを用いることとしたため、義耳インプラント構造の各構成については、デンタルインプラント構造の各構成と同一符号を付して説明することとした。
【０１４１】
図５４に示すように耳孔近傍の骨体Ｇに支持アンカー８，８を埋設する。支持アンカー８は義耳アバットメント３と義耳フィクスチャー２とよりなり、両者は、必要に応じて一体ものとして構成してもよい。義耳アバットメント３の上部には、義耳台４が載置固定されており、義耳台４に義耳Ｈが取り付けられて欠損した耳を補完する。この義耳Ｈは、シリコン等で形成されている。
【０１４２】
しかも、図５５及び図５６に示すように、義耳アバットメント３と義耳台４とは互いに密着するように、義耳アバットメント３の外周面と義耳台４の嵌合孔１４の内周面とが、互いに対応するテーパー面を形成している。このように、両者をテーパー嵌合構造１０を介して着脱自在に嵌着すべく構成すると共に、義耳台４に穿設した縦方向の雌ネジ孔１１は義耳アバットメント３に穿設した縦方向の雄ネジ貫通孔１２よりも大径に形成し、それぞれ連通する各ネジ孔１１，１２の境に義耳アバットメント３上面からなる段部１３を形成している。
【０１４３】
また、義耳アバットメント３に貫通した雄ネジ貫通孔１２は上方に行くに従って拡開状のテーパーに形成している。
【０１４４】
また、耳孔近傍の骨体Ｂに埋設した義耳フィクスチャー２と、上部に義耳５を載置固定すべく構成した義耳アバットメント３とは、雄ネジ棒６を介して一体に連設されており、雄ネジ棒６の上半部は義耳アバットメント３に貫通したテーパーの雄ネジ貫通孔１２と合致した上方拡開状のテーパーの形状としている。なお、一方の義耳フィクスチャー２の上部には六角形状の凹部２ａを形成し、他方の義耳アバットメント３下部には六角形状の凸部３ａを形成して、義耳フィクスチャー２の凹部２ａに義耳アバットメント３の凸部３ａが嵌着自在となすようにしている。
【０１４５】
義耳アバットメント３は、略臼形に形成され、段部１３を形成する上面に雄ネジ貫通孔１２が開口している。
【０１４６】
なお、本実施形態においては、義耳台４の雌ネジ孔１１を、義耳アバットメント３の雄ネジ貫通孔１２より大径となるように形成して段部１３を形成したが、両者を略同一径として段部１３を形成することもできる。例えば、平面視真円形状で断面視ストレート形状とした雄ネジ貫通孔１２を、そのアバットメント３における上端面開口部分をかしめるなどして、わずかに略楕円形状とするのである。そして、義耳台４の雌ネジ孔１１の直径を、雄ネジ貫通孔１２における略楕円開口をなす前記上端面開口部分の長軸相当部分と略同径にすれば、互いに連通する雌ネジ孔１１と雄ネジ貫通孔１２との境に、義耳アバットメント３の上面からなる段部１３を形成することができる。したがって、この場合でも、義耳アバットメント３から義耳台４を取り外す際には、離反用雄ネジ具Ｑの平坦部Ｑ３が義耳アバットメント３の前記段部に当接することで取り外すことが出来る。
【０１４７】
なお、このとき、雄ネジ棒６の長さを、上述してきた例よりも短く形成しておき、螺合させた状態のその上端と、略楕円開口をなす前記上端面開口部分までの間のストロークで当該雄ネジ棒６を義耳フィクスチャー２から抜去可能にしておけばよい。
【０１４８】
上記した義耳インプラント構造の構築方法、及び義耳インプラント構造の分解方法並びに別途用意する冶具等に関しては、デンタルインプラント構造に関する技術と同様であるので説明を省略する。
【０１４９】
なお、フィクスチャーの外周には、ネジ溝を刻設するようにしてもよい。
【０１５０】
なお、本発明を各実施形態を通して説明したが、本発明は各実施形態に限定されるものではなく、特許請求の範囲の主旨を逸脱することのない限り、各構成要素の形状や装置のレイアウトなどは適宜変更することができる。
【符号の説明】
【０１５１】
Ｂ  顎骨
Ｃ  歯並び部分
Ｄ  口腔
Ｍ  雄ネジ締込み具
Ｎ  義歯台締込み用ネジ具
Ｌ  型取り樹脂
Ｐ  型取り容器
Ｑ  離反用雄ネジ具
１  デンタルインプラント構造
２  フィクスチャー
３  アバットメント
４  義歯台
５  義歯
６  雄ネジ棒
７  閉塞用ネジ
１０  テーパー嵌合構造
１１  雌ネジ孔
１２  雄ネジ貫通孔
１３  段部
１４  嵌合孔
【図１】
2011072773.tif 000003
【図２】
2011072773.tif 000004
【図３】
2011072773.tif 000005
【図４】
2011072773.tif 000006
【図５】
2011072773.tif 000007
【図６】
2011072773.tif 000008
【図７】
2011072773.tif 000009
【図８】
2011072773.tif 000010
【図９】
2011072773.tif 000011
【図１０】
2011072773.tif 000012
【図１１】
2011072773.tif 000013
【図１２】
2011072773.tif 000014
【図１３】
2011072773.tif 000015
【図１４】
2011072773.tif 000016
【図１５】
2011072773.tif 000017
【図１６】
2011072773.tif 000018
【図１７】
2011072773.tif 000019
【図１８】
2011072773.tif 000020
【図１９】
2011072773.tif 000021
【図２０】
2011072773.tif 000022
【図２１】
2011072773.tif 000023
【図２２】
2011072773.tif 000024
【図２３】
2011072773.tif 000025
【図２４】
2011072773.tif 000026
【図２５】
2011072773.tif 000027
【図２６】
2011072773.tif 000028
【図２７】
2011072773.tif 000029
【図２８】
2011072773.tif 000030
【図２９】
2011072773.tif 000031
【図３０】
2011072773.tif 000032
【図３１】
2011072773.tif 000033
【図３２】
2011072773.tif 000034
【図３３】
2011072773.tif 000035
【図３４】
2011072773.tif 000036
【図３５】
2011072773.tif 000037
【図３６】
2011072773.tif 000038
【図３７】
2011072773.tif 000039
【図３８】
2011072773.tif 000040
【図３９】
2011072773.tif 000041
【図４０】
2011072773.tif 000042
【図４１】
2011072773.tif 000043
【図４２】
2011072773.tif 000044
【図４３】
2011072773.tif 000045
【図４４】
2011072773.tif 000046
【図４５】
2011072773.tif 000047
【図４６】
2011072773.tif 000048
【図４７】
2011072773.tif 000049
【図４８】
2011072773.tif 000050
【図４９】
2011072773.tif 000051
【図５０】
2011072773.tif 000052
【図５１】
2011072773.tif 000053
【図５２】
2011072773.tif 000054
【図５３】
2011072773.tif 000055
【図５４】
2011072773.tif 000056
【図５５】
2011072773.tif 000057
【図５６】
2011072773.tif 000058
【図５７】
2011072773.tif 000059